(57)【特許請求の範囲】
【請求項１】
テレビ放送を受信する機能を有する携帯電話機であって、
前記テレビ放送に係る映像及び音声を出力する出力手段と、
前記出力手段により出力された映像を表示するための表示手段と、
ユーザによる操作を受付ける操作受付手段と、
前記映像及び音声を出力している際に、前記映像の出力の中断を示す操作を受け付けた場合、前記音声の出力を維持しつつ前記出力手段による前記映像の出力を抑止し、待受け画面を前記表示手段に表示させる制御手段と、を備え、
前記制御手段は、前記音声の出力を維持しつつ前記待受け画面を前記表示手段に表示させている間に、所定の機能に係る操作を受け付けた場合、当該機能に係る画像を前記表示手段に表示させる携帯電話機。
【請求項２】
前記制御手段は、前記音声の出力を維持しつつ前記待受け画面を前記表示手段に表示させている間に、前記操作受付手段が前記テレビ放送の受信の終了を示す操作を受け付けた場合、前記出力手段による音声の出力を停止させる請求項１に記載の携帯電話機。
【請求項３】
前記所定の機能は、メール機能およびＷｅｂ接続機能の少なくとも１つを含む請求項１又は請求項２に記載の携帯電話機。
【発明の詳細な説明】
【技術分野】
【０００１】
本発明は、携帯電話機に関し、特にテレビ放送を受信して映像及び音声を出力する携帯電話機に関する。
【背景技術】
【０００２】
従来、テレビ放送を受信可能な携帯電話機が提供されており、ユーザは、電車の中や歩行中等においてもテレビの映像と音声を視聴することができる。
【０００３】
携帯電話機のうち特に折畳み式の場合には、電池の消耗を防ぐために、折畳んだ状態にすると表示部の電源をオフにするものや、イヤホンでテレビ音声を聞くことができるよう工夫されたものがある。
【０００４】
ユーザは、周囲の状況に応じて携帯電話機を折畳み、テレビ映像を表示しない状態でテレビ音声をイヤホンで聞くといった使用方法によりテレビ放送を楽しむことができる。(
特許文献１参照)
【先行技術文献】
【特許文献】
【０００５】
【特許文献１】特開２００２−２３７８７３号公報
【発明の概要】
【発明が解決しようとする課題】
【０００６】
しかしながら、上記の様に折畳んだ状態にする等、テレビ映像を見ないでテレビ音声をＢＧＭとして聞くような場合、特に電池容量が小さい携帯電話機にとっては、表示部の駆動を停止させるだけでなく、更に消費電力を削減することが急務の課題である。
【０００７】
そこで、本発明は、テレビ放送を受信する携帯電話機で、テレビ映像を見ないでテレビ音声を聞く場合において、消費電力を低減することができる携帯電話機を提供することを目的とする。
【課題を解決するための手段】
【０００８】
上記課題を解決するために、本発明に係る携帯電話機は、テレビ放送を受信し、当該放送に係る映像と音声を取得し、音声を遅延させて映像と同期させる同期処理を行って音声を出力する携帯電話機であって、所定の条件を満たす場合に前記同期処理を抑止し、取得した音声を遅延させずに出力するように制御する出力制御手段を備えることを特徴とする。
【発明の効果】
【０００９】
上述の構成によって、本発明に係る携帯電話機は、例えば、テレビ映像を非表示にする操作を受付けた場合や、ユーザによって携帯電話機が折畳んだ状態にされた場合等には、ユーザがテレビ映像を見ないことが明らかであり、テレビ映像とテレビ音声を同期させるためにテレビ音声を遅延させる必要はないので、同期処理に係る消費電力を削減することができる。
【００１０】
また、前記携帯電話機は、更に、所定の操作を受付ける受付手段を備え、前記所定の条件を満たす場合とは、前記受付手段が前記所定の操作を受付けた場合であることとしてもよい。
【００１１】
この構成によれば、本発明に係る携帯電話機は、例えば、テレビ音声をＢＧＭとして聞くための所定のボタン操作等を受付けることができるので、ユーザから任意に所定のボタン操作を受付けることによって確実に同期処理に係る無駄な消費電力を削減することができる。
【００１２】
また、前記同期処理は、取得した映像をＡ／Ｄ変換する映像変換処理後の映像と、取得した音声をＡ／Ｄ変換する音声変換処理後の音声が同期するように音声変換処理後の音声を出力する処理であり、前記出力制御手段は、前記所定の条件を満たす場合、更に、音声変換処理及び映像変換処理を抑止し、前記取得した音声を音声変換処理することなく出力するように制御することとしてもよい。
【００１３】
この構成によれば、本発明に係る携帯電話機は、例えば、ユーザがテレビ音声をＢＧＭとして聞く場合にはテレビ映像は見ないため、テレビ映像とテレビ音声の同期処理に伴う音声信号のＡ／Ｄ変換処理や、テレビ映像を表示する為の映像信号のＡ／Ｄ変換処理等は不要であり、これらの変換処理に係る消費電力も抑えることができる。
【００１４】
また、前記携帯電話機は、更に、画像を表示する表示手段と、前記同期処理が成されている場合に前記映像変換処理後の映像を表示手段に表示させ、前記同期処理が抑止されている場合に前記取得した映像以外の画像を表示手段に表示させる表示制御手段とを備えることとしてもよい。
【００１５】
ここで、取得した映像以外の画像とは、例えば、電子メール機能、ＷＥＢ接続機能等、テレビ以外の携帯電話機が備える機能に係る画像である。
【００１６】
この構成によれば、本発明に係る携帯電話機は、ユーザは所定の操作を行なうことにより、テレビ映像の表示を中断して、テレビ音声を聞きながら電子メールを受信したり、電子メールに係る画像をディスプレイに表示させたりすることができる。
【００１７】
また、前記携帯電話機は、更に、前記同期処理の抑止を解除する解除指示を受付ける解除受付手段を備え、前記同期処理を抑止している場合に、前記解除指示を受付けたとき、前記出力制御手段は、前記同期処理、前記音声変換処理、及び前記映像変換処理の抑止を解除して各処理を再開させ、前記音声変換処理及び前記同期処理後の音声を出力するように制御し、前記表示制御手段は、前記映像変換処理後の映像を前記表示手段に表示させるように制御することとしてもよい。
【００１８】
この構成によれば、本発明に係る携帯電話機は、ユーザがテレビ映像の表示を中断してテレビ音声をＢＧＭとして聞いている時に、例えば、ユーザからテレビ映像の表示の中断を解除するボタン操作を受付けることにより、同期処理を再開してテレビ映像とテレビ音声を出力するので、ユーザは映像と音声を違和感なく視聴することができる。
【００１９】
また、前記携帯電話機は、折畳み式携帯電話機であり、自機が折畳まれた状態を検知する検知手段を備え、前記所定の条件を満たす場合とは、前記検知手段が前記状態を検知した場合であることとしてもよい。
【００２０】
この構成によれば、本発明に係る携帯電話機が折畳み式携帯電話機である場合において、携帯電話機が折畳まれることによりディスプレイがユーザから見えない状態になるので、折畳まれている間は映像と音声の同期に関わる処理を抑止することができ、消費電力を削減できる。
【００２１】
また、テレビ放送を受信する携帯電話機であって、前記テレビ放送に係る映像及び音声が同期するように映像及び音声を出力する出力手段と、前記出力手段により出力された映像を表示する表示手段と、所定の操作を受付ける操作受付手段と、前記映像及び音声を出力している際に、前記所定の操作を受付けた時、前記出力手段による映像の出力を抑止し、前記テレビ放送に係る映像以外の画像を表示するよう制御する表示制御手段とを備えることとしてもよい。
【００２２】
この構成によれば、本発明に係る携帯電話機は、ユーザがテレビを視聴中に電子メール作成等の操作を行いたい場合に、例えば所定のボタン操作等をユーザから受付けることにより、テレビ音声は出力しながらテレビ映像の表示を中断し、電子メール等の特定の処理に係る画像をディスプレイに表示させるため、ユーザはテレビ音声を聞きながらテレビ以外の画像を見ることができる。
【図面の簡単な説明】
【００２３】
【図１】本発明に係る携帯電話機１００の構成図である。
【図２】携帯電話機１００の内部に格納されているテーブルの構成及び内容例を示す図である。
【図３】携帯電話機１００の動作フロー図である。
【図４】携帯電話機１００の同期処理に係る動作フロー図である。
【図５】携帯電話機１００の画面遷移例を示す図である。
【図６】携帯電話機１００の外観図である。
【発明を実施するための形態】
【００２４】
＜実施形態＞  以下、本発明の実施形態に係る携帯電話機について説明する。
【００２５】
＜概要＞  本発明に係る携帯電話機は、アナログテレビ放送を受信可能であり、受信したテレビ放送に係る映像を当該映像に係る音声と共に出力する映像表示モードと、受信したテレビ放送に係る音声のみを出力する映像非表示モードとを有しており、ユーザ操作に応じてモードの切替を行う。
【００２６】
ここで、映像表示モードは、受信した映像信号及び音声信号にＡ／Ｄ変換処理を行い、映像と同期するように音声を遅延させ、映像信号と音声信号を出力する。また、映像非表示モードは、受信した映像信号及び音声信号のＡ／Ｄ変換処理を行なわず、受信した音声信号のみを遅延させずに出力する。
【００２７】
＜外観＞  図６は、本発明に係る携帯電話機の外観図を示している。
【００２８】
携帯電話機１００は、上部筐体１１０及び下部筐体１２０とから構成されている。
【００２９】
上部筐体１１０は、スピーカ１７、及び表示部１８を含み、下部筐体１２０は、操作部１６及びイヤホン１８を含んでいる。
【００３０】
携帯電話機１００は、ユーザによる操作部１６の操作によって選局されたテレビ放送を受信し、当該放送に係る映像を表示部１９に表示し、音声をスピーカ１７に出力する。
【００３１】
＜構成＞  図１は、本発明に係る携帯電話機１００の機能構成図である。
【００３２】
携帯電話機１００は、アンテナ１１、受信部１２、音声復調部１３、映像変換部１４、音声変換部１５、操作部１６、スピーカ１７、表示部１８、及び制御部２０で構成されている。
【００３３】
ここで、アンテナ１１は、アナログテレビ放送の電波を受信し、受信部１２は、アンテナ１１を介して受信した電波からユーザによって選局された番組の映像信号及び音声信号を取得する機能を有する。
【００３４】
音声復調部１３は、受信部１２によって取得された音声信号を復調し、映像表示に係るモード情報に応じて、復調した音声信号を後述する音声変換部１５又は音声切替部２３に送出する機能を有する。
【００３５】
映像変換部１４は、受信部１２によって取得された映像信号をＡ／Ｄ変換する機能を有しており、例えば、ＮＴＳＣの映像信号の場合、ＮＴＳＣ信号をサンプリングして輝度信号、色差信号を抽出して映像を表示するための画像処理を行う。
【００３６】
音声変換部１５は、音声復調部１３によって復調された音声信号をＡ／Ｄ変換する機能と、Ａ／Ｄ変換された音声信号をＤ／Ａ変換する機能を有する。
【００３７】
操作部１６は、図６に示す様に複数の操作ボタンで構成されており、ユーザによって押下されたボタンに対応する信号を制御部２０に送出する機能を有する。
【００３８】
スピーカ１７は、音声復調部１３によって復調された音声信号、又は音声変換部１５によってＤ／Ａ変換された音声信号に基づく音声を出力する機能を有する。
【００３９】
表示部１８は、液晶ディスプレイ等で実現され、受信部１２によって取得された映像や、携帯電話機１００における他の機能、例えばメール機能等に係る画像を表示する機能を有する。
【００４０】
制御部２０は、ＣＰＵ及びメモリ(ＲＯＭ及びＲＡＭ)を含み、携帯電話機１００の各部を制御する機能を有する。
【００４１】
また、制御部２０は、出力制御部２１、同期制御部２２、音声切替部２３、及び表示制御部２４を含んで構成されている。
【００４２】
ここで、出力制御部２１は、ユーザから操作部１６の特定のボタンを押下する等のモード切替操作を受付け、その切替操作毎にモード情報をＲＡＭ等のメモリに格納して更新する機能と、モード情報に応じて映像変換部１４、音声変換部１５、及び同期制御部２２の起動を制御する機能と、モード情報を音声復調部１３に送出する機能を有する。
【００４３】
同期制御部２２は、音声変換部１５によって変換された音声信号をバッファに一時記憶させ、映像変換部１４によって変換された映像信号の出力タイミングに合わせてバッファから音声信号を読み出し、音声変換部１５に送出する機能と、映像信号を表示制御部２４に送出する機能を有する。
【００４４】
音声切替部２３は、音声復調部１３又は音声変換部１５によって送出された音声信号に係る音声をスピーカ１７に出力する機能を有する。
【００４５】
表示制御部２４は、モード情報に応じて、同期制御部２２によって出力された映像信号に基づく映像、又は他の機能に係る画像を表示部１８に表示させる機能を有する。
【００４６】
＜データ＞  以下、携帯電話機１００内部に記憶されているテーブルデータについて図２を用いて説明する。
【００４７】
図２(ａ)は、起動制御情報テーブル２１０の構成及び内容例を示している。
【００４８】
起動制御情報テーブル２１０は、映像表示に係るモード状態における音声変換部１５、同期制御部２２、及び映像変換部１４の起動状態を示したテーブルであり、同図に示す様に、モード２１１と上記各部の起動状態を示す音声変換部２１２、同期制御部２１３、及び映像変換部２１４とを対応付けて記憶している。
【００４９】
尚、同図において、“ＯＮ”は起動している状態を示しており、スタンバイは低電力に設定し、待機状態であることを示している。
【００５０】
図２(ｂ)は、機能情報テーブル２２０の構成及び内容例を示している。
【００５１】
同図において、機能情報テーブル２２０は、機能２２１及び動作２２２を対応付けて記憶している。
【００５２】
ここで、機能２２１は、携帯電話機１００で実行可能な機能を記憶している。
【００５３】
また、動作２２２は、映像非表示モードにおいてテレビ音声を出力中に、機能２２１に記憶された各機能に係る処理を並行して行なうことができるか否かを示す情報を記憶しており、当該情報は、並行して処理できる場合は“可”で表し、並行して処理できない場合、すなわち機能２２１に記憶された機能の処理を優先して行なわせる場合は “優先”
で表している。
【００５４】
尚、同図において電話機能、つまり電話の発着信処理については、テレビ音声の出力を一旦停止させて電話に係る処理を優先的に行なう。
【００５５】
図２(ｃ)は、デフォルト表示情報テーブル２３０の構成及び内容例を示している。
【００５６】
デフォルト表示情報テーブル２３０は、状態２３１と表示２３２とを対応付けて記憶している。
【００５７】
状態２３２は、例えば電源オン時や、映像非表示モードに移行した時等、携帯電話機１００の状態を示している。
【００５８】
また、表示２３２は、状態２３２の各状態において表示部１８に表示すべき画像を示している。
【００５９】
＜動作＞  以下、上述した携帯電話機１００の動作について説明する。
【００６０】
図３は、携帯電話機１００の動作フロー図を示している。
【００６１】
尚、携帯電話機１００のモード情報は映像表示モードに初期設定されており、映像変換部１４、音声変換部１５及び同期制御部２２はテレビの起動指示と同時に起動されるものとする。
【００６２】
制御部２０は、ユーザから操作部１６を介してテレビの起動指示を受付け、アンテナ１１及び受信部１２を起動する(ステップＳ１１)。
【００６３】
受信部１２は、ユーザによって選局されたテレビ放送に係る映像信号及び音声信号を、
アンテナ１１を介して取得し、取得した映像信号を映像変換部１４へ送出し、音声信号を音声復調部１３へ送出する(ステップＳ１２)。
【００６４】
音声復調部１３は、ステップＳ１２において受信部１２から送出された音声信号を受付け、受付けた音声信号を復調し、復調した音声信号を音声変換部１５に送出する(ステッ
プＳ１３)。
【００６５】
同期制御部２２は、映像変換部１４で処理された映像信号、及び音声変換部１５で処理された音声信号の同期処理を行い、映像信号を表示制御部２４へ送出し、音声信号を音声変換部１５へ送出する。
【００６６】
続いて表示制御部２４は、同期制御部２２によって送出された映像信号に基づいて表示部１８に映像を表示する。また、音声変換部１５は、同期制御部２２によって送出された音声信号をＤ／Ａ変換して音声切替部２３に送出し、音声切替部２３はスピーカ１７に当該音声信号に基づく音声を出力する(ステップＳ１５)。
【００６７】
ステップＳ１５において映像及び音声を出力中に、出力制御部２１が、ユーザから操作部１６を介して映像表示を中断する、つまり映像非表示モードへの切替操作を受付けた場合(ステップＳ１６:Ｙ)、出力制御部２１は、映像非表示モードを示すモード情報をメモ
リに格納し、音声復調部１３と表示制御部２４に映像非表示モードを示す信号を送出する。
【００６８】
また、出力制御部２１は、起動制御情報テーブル２１０を読出し、映像変換部１４、音声変換部１５及び同期制御部２２をスタンバイ状態に設定することを示す信号を送出して各部をスタンバイ状態にする(ステップＳ１７)。
【００６９】
ステップＳ１７に続いて、音声復調部１３は、受信部１２から受信された音声信号を復調し、復調した音声信号を音声切替部２３へ送出し、音声切替部２３は受付けた音声信号をスピーカ１７に出力する(ステップＳ１８)。
【００７０】
また、表示制御部２４は、ステップＳ１７において出力制御部２１から送出された映像非表示モードを示す信号を受付け、デフォルト表示情報テーブル２３０を読出し、待ち受け画像を表示部１８に表示させる(ステップＳ１９)。
【００７１】
続いて、出力制御部２１が、ユーザから操作部１６を介して映像表示を再開する操作、つまり映像表示モードへの切替操作を受付けた場合(ステップＳ２０:Ｎ、ステップＳ２１:Ｙ)、出力制御部２１は、メモリ内のモード情報を映像非表示モードから映像表示モードに更新し、音声復調部１３及び表示制御部２４へ映像表示モードを示す信号を送出する。
【００７２】
また、出力制御部２１は、起動制御情報テーブル２１０を読出して映像変換部１４、音声変換部１５及び同期制御部２２に起動する信号を送出して各部を起動させ(ステップＳ
２２)、上述したステップＳ１３以下の処理を行なう。
【００７３】
ステップＳ２１において映像表示モードへの切替操作を受付けなかった場合は(ステッ
プＳ２１:Ｎ)、上述したステップＳ１８以下の処理を行なう。
【００７４】
また、ステップＳ２０において、制御部２０が、ユーザから操作部１６を介してテレビを終了させる操作を受付けた場合(ステップＳ２０:Ｙ)、アンテナ１１及び受信部１２へ
の電力供給を停止し、音声切替部２３は音声の出力を停止する。
【００７５】
ここで、ステップＳ１４における映像と音声の同期処理フローについて図４を用いて説明する。
【００７６】
ステップＳ１５１において、映像変換部１４は、ステップＳ１２で受信部１２から送出された映像信号をＡ／Ｄ変換して同期制御部２２に送出する。また、音声変換部１５は、ステップＳ１３で音声復調部１３から送出された音声信号をＡ／Ｄ変換して同期制御部２２に送出する。
【００７７】
続いて、同期制御部２２は、音声復調部１３から送出された音声信号をバッファに格納し、映像変換部１４から送出される映像信号の出力タイミングに合わせてバッファ内の音声信号を音声変換部１５に送出する。また、同期制御部２２は、映像信号を表示制御部２４に送出する(ステップＳ１５２)。
【００７８】
＜動作例＞  以下、上述の動作フローに即して本発明に係る携帯電話機１００の動作例を説明する。
【００７９】
図５(ａ)(ｂ)(ｃ)は、携帯電話機１００の上部筐体１１０の部分を示しており、ユーザによって選局された放送に係る映像と音声を出力中に、ユーザから映像非表示モードの切替操作を受付けた場合に表示される画面の遷移例を示している。
【００８０】
図５(a)は、携帯電話機１００が、ユーザ操作によりテレビを起動して野球の放送を受
信し(ステップＳ１１、Ｓ１２)、放送に係る映像３１０を表示部１８に表示し、音声３２０をスピーカ１７に出力している様子を表している。
【００８１】
同図の映像３１０と音声３２０は、同期制御部２２が、音声復調部１３により復調され、音声変換部１５によってＡ／Ｄ変換された音声信号と、映像変換部１４によってＡ／Ｄ変換された映像信号について同期処理を行ない(ステップＳ１３、ステップＳ１４)、音声切替部２３及び表示制御部２４が、同期処理後の映像信号と音声信号をスピーカ１７及び表示部１９に出力している（ステップＳ１５）。
【００８２】
続いて、図５(ｂ)において、出力制御部２１は、ユーザからモード切替操作を受付けると、映像表示を中断するか否かの選択させるための選択画像４１１を映像４１０に重ねて表示する指示を表示制御部２４に送出し、表示制御部２４は表示部１９に選択画像４１１を表示する(ステップＳ１６)。
【００８３】
出力制御部２１は、ユーザから映像表示の中断を示す操作を受付けると(ステップＳ１
６:Ｙ)、メモリ内のモード情報を映像非表示モードに更新し、音声復調部１３及び表示制御部２４に映像非表示モードを示す信号を送出する。
【００８４】
続いて、図５(ｃ)において、出力制御部２１は、起動制御情報テーブル２１０を読出し、映像変換部１４、同期制御部２２、音声変換部１５をスタンバイモードに設定する
(ステップＳ１７)。
【００８５】
また、音声復調部１３は、受信部１２が受信した音声信号を復調して音声切替部２３に送出し、音声切替部２３はスピーカに音声５２０を出力する(ステップＳ１８)。表示制御部２４は、デフォルト表示情報テーブル２３０を読出し、待受け画像５１０を表示部１８に表示する(ステップＳ１９)。
【００８６】
尚、同図においてユーザからメール操作等を受付けた場合には、機能情報テーブル２２０を読出し、映像非表示モード時において受付けた操作が実行可能対象である場合には、
当該機能に係る画像を表示部１８に表示させる。
【００８７】
＜補足＞  以上、本発明に係る携帯電話機について実施形態に基づいて説明したが、以下のように変形することもでき、本発明は上述の実施形態で示した携帯電話機に限られないことは勿論である。
【００８８】
(１)上述した実施形態では、ユーザのボタン操作によって映像表示モードと映像非表示モードの切替えを行なっていたが、折畳み式携帯電話機の場合には、携帯電話機の開閉状態を検知する検知手段を備え、検知手段が、携帯電話機が折畳まれた閉状態を検知した時に、映像非表示モードに切替えることとしてもよい。この構成によれば、ユーザが携帯電話機を折畳むと同時に同期処理等を抑止するため、ユーザによるモード切替操作の手間を省くことができる。
【００８９】
（２）また、受信している放送においてＣＭ区間が含まれている場合には、その区間は映像非表示モードに切替えることとしてもよい。
【００９０】
この場合、受信した音声信号のうちステレオ音声が含まれているか否かを検出する検出手段を備え、検出手段がステレオ音声の部分をＣＭ区間として検出した場合には、同期制御部２２は、そのＣＭ区間の音声信号に対応する映像信号と同期処理を行なわないこととしてもよい。
【００９１】
（３）また、携帯電話機の電池残量に応じて映像非表示モードへの切替えを行なうこととしてもよい。この場合、電池残量が一定の閾値以下であるか否かを判定する判定手段を備え、判定手段によって電池残量が閾値以下であると判定された時は、出力制御部２１は映像非表示モードに設定し、同期処理等を抑止する。
【００９２】
この構成によれば、電池残量が一定量以下になった場合に映像非表示モードに切替わるので、ユーザはテレビ音声を継続して聞きながら、他の操作に電力を使うことができる。
【００９３】
（４）また、受信している放送の電波強度に応じて映像非表示モードに切替えることとしてもよい。この場合、受信電波の強度が一定の閾値以下であるか否かを判定する電波判定手段を備え、電波判定手段が、強度が閾値以下であると判定した時、出力制御部２１は映像非表示モードに設定し、同期処理等を抑止する。
【００９４】
この構成によれば、電波状況が悪く映像が乱れる場合に、同期処理を抑止してテレビ音声だけを出力することにより、無駄な消費電力を削減することができる。また、電波強度が戻った場合には再度同期処理を再開して映像と音声を出力してもよい。
【００９５】
（５）携帯電話機における各処理（図３、図４参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ等がある。流通、頒布されたプログラムはプロセッサに読み出され得るメモリ等に格納されることにより利用に供され、そのプロセッサがそのプログラムを実行することにより実施形態で示した携帯電話機の機能が実現されるようになる。
【産業上の利用可能性】
【００９６】
本発明に係る携帯電話機は、テレビ放送を受信してテレビ映像及び音声を出力可能な携帯電話機に利用され得る。
【符号の説明】
【００９７】
１１    アンテナ
１２    受信部
１３    音声復調部
１４    映像変換部
１５    音声変換部
１６    操作部
１７    スピーカ
１８    表示部
２０    制御部
２１    出力制御部
２２    同期制御部
２３    音声切替部
２４    表示制御部
１００  携帯電話機
１１０  上部筐体
１２０  下部筐体
【図１】
0005575282.tif 000002
【図２】
0005575282.tif 000003
【図３】
0005575282.tif 000004
【図４】
0005575282.tif 000005
【図５】
0005575282.tif 000006
【図６】
0005575282.tif 000007